(57)【要約】【課題】遊技領域の内縁に沿って玉通路を設け、その玉通路に玉を進入させることで、遊技領域を目いっぱい使って玉を宙返りさせる。【解決手段】壁２１の一部の内縁に沿って右側玉通路２５，左側玉通路２７を形成する右側ガイドレール２４，左側ガイドレール２６を設ける。右側玉通路２５の上方の入口から進入した玉が、壁２１に沿って転動しながら玉排出口１４の前方を通過し、さらに壁２１に沿って上方に導かれた後に左側玉通路２７の出口から遊技盤３に放出される。玉通路２５に進入した玉と、遊技盤３を流下して何れの入賞口にも入賞しなかつた玉とは、玉排出口１４の前で衝突可能である。第２始動入賞装置２０は、左側玉通路２７の出口から遊技盤３上に放出された玉のみが入賞可能となっている。【選択図】図２
2007181572.tif 000002
【特許請求の範囲】
【請求項１】
遊技者の操作する発射装置より発射された玉が流下する、略円形の壁で囲まれた遊技領域と、当該遊技領域を流下する玉が入賞可能な複数の入賞口と、何れの入賞口にも入賞しなかった玉を前記遊技領域から排出する、前記遊技領域の最下部に設けられた玉排出口と、を備えたパチンコ遊技機において、
前記壁の一部の内縁に沿って玉が通過可能な幅を空けて設けられ、玉通路を形成するガイド部材を備え、
前記玉通路の上方に設けられた入口から進入した玉が、前記壁に沿って転動しながら前記玉排出口の前方を通過し、さらに前記壁に沿って上方に導かれた後に前記玉通路の出口から前記遊技領域に放出されることを特徴とするパチンコ遊技機。
【請求項２】
前記玉通路に進入した玉と、前記遊技領域を流下して何れの入賞口にも入賞しなかつた玉とが、前記玉排出口の前で衝突可能である請求項１記載のパチンコ遊技機。
【請求項３】
前記玉通路の出口から前記遊技領域に放出された玉のみが入賞可能な入賞口が設けられた請求項１または２記載のパチンコ遊技機。
【発明の詳細な説明】
【技術分野】
【０００１】
本発明はパチンコ遊技機に関し、特に略円形の壁で囲まれた遊技領域を有するパチンコ遊技機に関する。
【背景技術】
【０００２】
特許文献１には、センター役物を備えるパチンコ遊技機において、そのセンター役物に宙返りガイド部を設け、センター役物に流入してきたパチンコ玉を宙返りさせる技術について記載されている。このパチンコ遊技機では、玉を落下させる方向だけでなく、宙返りさせて一瞬上方へ玉を持ち上げることで面白い玉の動きを実現し、遊技者に興趣を与えるようにしている。
【特許文献１】特開２００１‐２９５６９号公報
【発明の開示】
【発明が解決しようとする課題】
【０００３】
特許文献１に記載されたパチンコ遊技機は、玉を落下させる方向だけでなく、宙返りさせて一瞬上方へ玉を持ち上げることで面白い玉の動きを実現し、遊技者に興趣を与えるものではあるが、とても狭い範囲での玉の動きであるので、遊技者に充分な興趣を与えられるものではないという課題があった。
【０００４】
本発明の目的は、上述の点に鑑み、遊技領域の内縁に沿って玉通路を設け、その玉通路に玉を進入させることで、遊技領域を目いっぱい使って玉を宙返りさせるパチンコ遊技機を提供するものである。詳しくは、遊技領域の内縁に沿って玉通路を用意し、発射装置から遊技領域ヘ打ち込まれた玉がその玉通路に進入し、遊技領域の最下部（玉排出口の前）を通過した後、遊技領域の中程より内側に放出されるように構成することで、再度玉を打ち込んだり加速させたりする特別な装置を用いることなく最下部を通過した玉を上方に持ち上げることができ、遊技者に新しい興趣を与えるパチンコ遊技機を提供することを目的とする。
【課題を解決するための手段及び発明の効果】
【０００５】
上記課題を解決するために、請求項１記載のパチンコ遊技機は、遊技者の操作する発射装置より発射された玉が流下する、略円形の壁で囲まれた遊技領域と、当該遊技領域を流下する玉が入賞可能な複数の入賞口と、何れの入賞口にも入賞しなかった玉を前記遊技領域から排出する、前記遊技領域の最下部に設けられた玉排出口と、を備えたパチンコ遊技機において、前記壁の一部の内縁に沿って玉が通過可能な幅を空けて設けられ、玉通路を形成するガイド部材を備え、前記玉通路の上方に設けられた入口から進入した玉が、前記壁に沿って転動しながら前記玉排出口の前方を通過し、さらに前記壁に沿って上方に導かれた後に前記玉通路の出口から前記遊技領域に放出されることを特徴とする。請求項１記載のパチンコ遊技機によれば、重力を利用して遊技領域の最下部を通過した玉を上方に持ち上げることができるので、従来にない玉の動きを実現でき、遊技者に新しい興趣を与えることができる。また、特別な発射装置などを遊技領域に設ける必要がないので、現行の遊技機規則の範囲内で実施することができる。
【０００６】
請求項２記載のパチンコ遊技機は、請求項１記載のパチンコ遊技機において、前記玉通路に進入した玉と、前記遊技領域を流下して何れの入賞口にも入賞しなかつた玉とが、前記玉排出口の前で衝突可能であることを特徴とする。請求項２記載のパチンコ遊技機によれば、玉通路に進入した玉と、遊技領域を流下して何れの入賞口にも入賞しなかつた玉とが、玉排出口の前で衝突可能であるようにしたので、遊技者には、玉通路を通過しないで遊技領域を流下してきた玉と、玉通路を使って玉排出口の前方を通過する玉とが衝突しないように、タイミングを測りながら遊技する、という新しい遊技性を提供することができる。
【０００７】
請求項３記載のパチンコ遊技機は、請求項１または２記載のパチンコ遊技機において、前記玉通路の出口から前記遊技領域に放出された玉のみが入賞可能な入賞口が設けられたことを特徴とする。請求項３記載のパチンコ遊技機によれば、玉通路の出口から遊技領域に放出された玉のみが入賞可能な入賞口を設けたことにより、遊技者には、玉を玉通路の入り口に入れ、玉通路の出口から放出させて、玉通路の出口から遊技領域に放出された玉のみが入賞可能な入賞口に入賞させる、という新しい遊技性を提供することができる。
【発明を実施するための最良の形態】
【０００８】
遊技者に充分な興趣を与えるという目的を、遊技領域の内縁に沿って玉通路を設け、その玉通路に玉を進入させることで、遊技領域を目いっぱい使って玉を宙返りさせることにより達成した。
【０００９】
以下、本発明のパチンコ遊技機の実施の形態について、図面を参照して説明する。
【実施例１】
【００１０】
図１は、本発明の実施例１に係るパチンコ遊技機１を示す正面模式図である。本実施例１に係るパチンコ遊技機１は、台枠に取り付けられた透明ガラス板でなる前面扉２と、台枠の内側に配置されて前面扉２によって覆われる遊技盤３と、遊技盤３の左右の斜め下方（図１で見て）に配設された左右一対のスピーカ４ａ，４ｂと、遊技盤３の下方に設けられた玉供給皿５と、玉供給皿５の右方（図１で見て）に設けられた、玉の発射装置１１０（図６参照）を操作するハンドル６とを含んで構成されている。なお、図１中、符号１０６は、ランプ類（図６参照）を示す。
【００１１】
遊技盤３は、図２に示すように、液晶表示装置等でなる液晶表示部１０と、液晶表示部１０を遊技盤３に取り付ける表示装置筐体９と、液晶表示部１０の右方（図２で見て）に設けられた通過ゲート１１と、液晶表示部１０の下方に設けられた、いわゆる電動チューリップ（以下、電チューと略記する）である第１始動入賞装置１２と、第１始動入賞装置１２の下方に設けられた大入賞装置１３と、大入賞装置１３の下方に設けられた玉排出口１４と、液晶表示部１０の左斜め下（図２で見て）に設けられた普図表示部１５と、液晶表示部１０の右斜め下（図２で見て）に設けられた特図表示部１７と、遊技盤３上に植設された多数の釘１９と、液晶表示部１０の左斜め下（図２で見て）に設けられた第２始動入賞装置２０と、遊技盤３の外周を取り囲むように形成された壁２１と、壁２１の下位終端から連続するように壁２１との間で玉発射通路２３を形成するように設けられた発射玉ガイドレール２２と、壁２１の右側壁部（図２で見て）の内縁に沿って玉が通過可能な幅を空けて設けられ、右側玉通路２５を形成する右ガイドレール２４と、発射玉ガイドレール２２の左側壁部（図２で見て）の内縁に沿って玉が通過可能な幅を空けて設けられ、左側玉通路２７を形成する左ガイドレール２６とを含んで構成されている。
【００１２】
表示装置筐体９は、図３に示すように、中央に液晶表示部１０を配設する開口が穿設されているとともに、左上隅部（図２で見て）が斜め左上方に向けて膨出した膨出部９ａとなっている。膨出部９ａは、遊技盤３上の左上部に発射玉ガイドレール２２に連なるように並べられて植設された複数の釘１９と協働して、玉発射通路２３から遊技盤３に放出された玉が遊技盤３の左領域に流れないように規制している。すなわち、パチンコ遊技機１を右打ち機とし、第２始動入賞装置２０に左側玉通路２７の出口から遊技盤３に放出された玉のみが入賞可能となるように規制している。
【００１３】
液晶表示部１０は、図３に示すように、第１特図（第１特別図柄）の抽選結果により決定された３桁のアラビア数字等のキャラクタでなる第１特図をダミー表示する。すなわち、液晶表示部１０では、第１始動入賞装置１２への玉の入賞に対する抽選結果に基づいて図柄変動が行われている。３つの図柄が同時に変動を開始し、所定時間経過後に停止する。３つ同じ数字が並べば、大当たりとなる。液晶表示部１０の大当たり図柄は、第１大当たり図柄が「１１１」，「３３３」，「５５５」，「７７７」のゾロ目、第２大当たり図柄が「２２２」，「４４４」，「６６６」のゾロ目である。大当たり図柄の振分は、第１大当たり図柄が５０％、第２大当たり図柄が５０％である。その図柄変動で当たりの図柄配列が表示されれば、大当たりとなる（第１特図による大当たり）。
【００１４】
図２に戻ると、通過ゲート１１は、賞球がないゲートであり、通過ゲート１１に玉を通過させると、普図の抽選が開始されるようになっている。
【００１５】
第１始動入賞装置１２は、開口部に一対の可動羽根１２ａ，１２ａを有する、いわゆる電チューと呼ばれる可変入賞装置でなる。第１始動入賞装置１２は、通過ゲート１１ヘの玉の通過が検知されて、例えば１２７／１２８の確率で普図の抽選が行われ、当選したならば、可動羽根１２ａ，１２ａを開放する。可動羽根１２ａ，１２ａの１回の開放時間は、通常時には、例えば０．５秒、時短時には、例えば１．８秒×３回である。なお、可動羽根１２ａ，１２ａの閉鎖時にも、遊技盤３の、可動羽根１２ａ，１２ａ間の上位位置に植設された釘１９，１９の間を通って玉の入賞が可能となっている。第１始動入賞装置１２に玉が入賞すると、第１始動入賞検知処理（図７参照）が開始されるようになっている。
【００１６】
大入賞装置１３は、いわゆるアタッカーと呼ばれる可変入賞装置であり、開口部と蓋部材とから構成され、蓋部材が移動することにより開口部の閉鎖状態と開放状態とを呈する。
【００１７】
普図表示部１５は、図４に示すように、１つの普図変動ＬＥＤ（Light Emitting Diode）１６と、２つの普図保留ＬＥＤｐ１，ｐ２とから構成されている。普図変動ＬＥＤ１６は、主回路１２０から直接制御されて、普図の変動を表示する。詳しくは、普図の変動動作を開始すると、普図変動ＬＥＤ１６は、緑色と橙色とを切り換えながら点滅し、所定の変動時間の経過後、当たりのときは緑色で点灯し、ハズレのときは橙色で点灯する。普図保留ＬＥＤｐ１，ｐ２は、主回路１２０から直接制御されて、普図の抽選結果の保留数を表示する。詳しくは、普図の抽選結果の保留および読出が発生する毎に、普図保留ＬＥＤｐ１，ｐ２は、下記の表１に基づいて橙色に点灯あるいは点滅する。
【００１８】
【表１】
2007181572.tif 000003
【００１９】
特図表示部１７は、図５（ａ）に示すように、いわゆる７セグメントの数字表示器でなる第１特図用数字表示器１８ａと、同じく７セグメントの数字表示器でなる第２特図用数字表示器１８ｂと、第１特図用数字表示器１８ａの下に２つ上下に設けられた第１特図保留ＬＥＤｑ１，ｑ２と、第２特図用数字表示器１８ｂの下に２つ上下に設けられた第２特図保留ＬＥＤｑ３，ｑ４とから構成されている。特図表示部１７の第１特図用数字表示器１８ａの図柄変動のタイミングは、液晶表示部１０の第１特図の図柄変動の変動開始および変動停止のタイミングと一致する。第１特図用数字表示器１８ａ，および第２特図用数字表示器１８ｂは、主回路１２０から直接制御されて、７セグメントを点滅することで、第１特図および第２特図が変動動作中であることを示す。所定の変動時間の経過後、第１特図用数字表示器１８ａ，および第２特図用数字表示器１８ｂは、第１特図の抽選結果および第２特図の抽選結果を表示する。すなわち、ハズレのときは、図５（ｂ）に示すように、真ん中の横棒のみを表示し、当たりのときは、図５（ｃ）に示すように、数字を表示する。なお、第２始動入賞装置２０への玉の入賞に対する抽選結果は、特図表示部１７の第２特図用数字表示器１８ｂでのみ表示される（液晶表示部１０での図柄変動は行わない）。第１特図保留ＬＥＤｑ１，ｑ２は、主回路１２０から直接制御されて、第１特図の抽選結果の保留数を表示する。詳しくは、第１特図の抽選結果の保留および読出が発生する毎に、第１特図保留ＬＥＤｑ１，ｑ２は、下記の表２に基づいて橙色に点灯あるいは点滅する。同様に、第２特図保留ＬＥＤｑ３，ｑ４は、主回路１２０から直接制御されて、第２特図の抽選結果の保留数を表示する。詳しくは、第２特図の抽選結果の保留および読出が発生する毎に、第２特図保留ＬＥＤｑ３，ｑ４は、下記の表２に基づいて橙色に点灯あるいは点滅する。
【００２０】
【表２】
2007181572.tif 000004
【００２１】
壁２１は、遊技盤３を略円形に囲んでおり、ほぼ１周した下端部分で発射玉ガイドレール２２と連続して一体化している。
【００２２】
右ガイドレール２４は、壁２１に沿って遊技盤３の右斜め上部分から玉排出口１４の近傍まで形成されており、右側玉通路２５の上端入口から入った玉を他の玉に妨害されずに玉排出口１４へて導く役目をする。
【００２３】
左ガイドレール２６は、発射玉ガイドレール２２に沿って遊技盤３の下端位置から遊技盤３の左中程上位置まで形成されており、左側玉通路２７の下端入口から入った玉を他の玉に妨害されずに液晶表示部１０の左領域に導き、遊技盤３に再び放出させる役目をする。左側玉通路２７から液晶表示部１０の左領域に放出された玉は、液晶表示部１０の左斜め下位置に配設された第２始動入賞装置２０に入賞することが可能になる。逆に言えば、第２始動入賞装置２０は、左側玉通路２７の出口から遊技盤３に放出された玉のみが入賞可能な入賞口である。このため、第２始動入賞装置２０は、通常、第１始動入賞装置１２に比べると入賞しにくい設計となっている（左側玉通路２７に玉が入りにくい）。
【００２４】
図６を参照すると、パチンコ遊技機１は、主制御基板１００と、液晶表示部１０を制御する表示制御基板１０１と、スピーカ４ａ，４ｂを含むアンプ／スピーカ１０４を制御する音声制御基板１０３と、ランプ類１０６を制御するランプ制御基板１０５と、払出装置１０８を制御する払出制御基板１０７と、発射装置１１０を制御する発射制御基板１０９と、通過ゲート１１に併設されたゲート通過検出器１１１と、第１始動入賞装置１２に併設された第１始動入賞検出器１１２と、第２始動入賞装置２０に併設された第２始動入賞検出器１１３と、大入賞装置１３に併設された大入賞検出器１１４と、電チューである第１始動入賞装置１２の可動羽根１２ａ，１２ａを開閉する電チューソレノイド１１５と、大入賞装置１３を開閉する大入賞ソレノイド１１６と、各基板に所定電圧を供給する電源回路部１１７とを含んで構成されている。
【００２５】
主制御基板１００は、主回路１２０を搭載しており、主回路１２０は、ＣＰＵ（Central Processing Unit）１２１，プログラム格納用のＲＯＭ（Read Only Memory）１２２，ワークエリアや各種カウンタ等が割り当てられるＲＡＭ（Random Access Memory）１２３，Ｉ／Ｏ（Input/Output）１２４等を備える。
【００２６】
なお、その他の各基板も、個別にＣＰＵやメモリを備える構成が一般的であるが、図６では省略している。
【００２７】
表示制御基板１０１は、主回路１２０より入力される表示制御信号に応じて、液晶表示部１０に画像を表示させるための処理を実行する。音声制御基板１０３は、入力される音声制御信号に応じてスピーカ４ａ，４ｂを含むアンプ／スピーカ１０４より音声を出力させる。ランプ制御基板１０５は、入力されるランプ制御信号に応じてランプ類１０６の点灯／消灯を制御する。払出制御基板１０７は、入力される賞球払出信号に応じて払出装置１０８を制御する。これにより、遊技者に対して所定数の賞球が払い出される。発射制御基板１０９は、遊技者がハンドル６を操作することに応じて、該ハンドル６に対応して設けられた発射装置１１０を作動させる。ハンドル６の操作量に応じて、玉の打出し強さ（玉の飛距離）を調節することが可能となっている。
【００２８】
図７は、本実施例１に係るパチンコ遊技機１における第１始動入賞検知処理を示すフローチャートである。第１始動入賞検知処理では、主回路１２０は、電チューである第１始動入賞装置１２からの玉の入賞検出信号が入力されたタイミングに応じて、第１特図の内部抽選を行い、第１特図の抽選結果を最大特図保留数４を上限として、ＲＡＭ１２３上の第１特図用保留記憶領域（図示せず）に記憶して保留する。
【００２９】
図８は、本実施例１に係るパチンコ遊技機１における第１特図保留読出処理を示すフローチャートである。第１特図保留読出処理では、主回路１２０は、ＲＡＭ１２３上の第１特図用保留記憶領域から最古の第１特図の抽選結果を読み出し、第１特図変動処理（図９参照）を開始する。
【００３０】
図９は、本実施例１に係るパチンコ遊技機１における第１特図変動処理を示すフローチャートである。第１特図変動処理では、主回路１２０は、第１特図の抽選結果が当たりであるかどうかを判定し、特図表示部１７の第１特図用数字表示器１８ａでの第１特図の変動開始，変動停止等の一連の処理を行う。
【００３１】
図１０は、本実施例１に係るパチンコ遊技機１における表示制御基板処理を示すフローチャートである。表示制御基板処理では、表示制御基板１０１は、主回路１２０から第１特図の判定結果および変動時間を受信し、液晶表示部１０での演出パターンおよび停止図柄を決定して、図柄変動を行う。表示制御基板１０１は、図柄変動中であるか否かに関わらず常に大当たりフラグがＯＮになっていないか確認し、ＯＮになっていなければ大当たり表示処理（図示せず）を起動する。大当たり表示処理では、大当たり処理（図１１参照）に合わせてラウンド数を表示するが、本発明とは直接には関係しないので、その詳細については省略する。なお、液晶表示部１０が表示制御基板１０１に接続されている関係上、表示制御基板処理の主体は、主回路１２０ではなく、表示制御基板１０１となっている。
【００３２】
図１１は、本実施例１に係るパチンコ遊技機１における大当たり処理を示すフローチャートである。大当たり処理では、主回路１２０は、大入賞装置１３を開放し、１ラウンドの入賞可能玉数１０の玉が入賞するか１ラウンドの最大開放時間２５秒が経過するかのいずれかが成立すると、大入賞装置１３を閉鎖する処理を１ラウンドとして、最大ラウンド数１５まで実行する処理を行う。
【００３３】
図１２は、本実施例１に係るパチンコ遊技機１における第２始動入賞検知処理を示すフローチャートである。第２始動入賞検知処理では、主回路１２０は、第２始動入賞装置２０からの玉の入賞検出信号が入力されたタイミングに応じて、第２特図の内部抽選を行い、第２特図の抽選結果を最大特図保留数４を上限として、ＲＡＭ１２３上の第２特図用保留記憶領域（図示せず）に記憶して保留する。
【００３４】
図１３は、本実施例１に係るパチンコ遊技機１における第２特図保留読出処理を示すフローチャートである。第２特図保留読出処理では、主回路１２０は、ＲＡＭ１２３上の第２特図用保留記憶領域から最古の第２特図の抽選結果を読み出し、第２特図変動処理（図１４参照）を開始する。
【００３５】
図１４は、本実施例１に係るパチンコ遊技機１における第２特図変動処理を示すフローチャートである。第２特図変動処理では、主回路１２０は、第２特図の抽選結果が当たりであるかどうかを判定し、特図表示部１７の第２特図用数字表示器１８ｂでの第２特図の変動開始，変動停止等の一連の処理を行う。
【００３６】
次に、このように構成された実施例１に係るパチンコ遊技機１の動作について、図１ないし図１４を参照しながら説明する。
【００３７】
パチンコ遊技機１への電源投入後、玉供給皿５に準備された玉は、ハンドル６を含んで構成される発射装置１１０によって発射され、壁２１，発射玉ガイドレール２２間の玉発射通路２３を通じて遊技盤３に向けて放出される。遊技盤３に放出された玉は、釘１９等によって弾かれながら重力によって遊技盤３の盤面上を流下する。
【００３８】
遊技盤３の盤面上を流下する玉が通過ゲート１１を通過すると、これをゲート通過検出器１１１が検出して、通過検出信号が主回路１２０に送信される。
【００３９】
通過検知処理では、主回路１２０は、ゲート通過検出器１１１からの通過検出信号により通過ゲート１１の玉の通過を検知しており、通過ゲート１１を玉が通過したことが検知されると、普図用乱数カウンタ（図示せず）から値を抽出し、普図の抽選結果の保留数が最大普図保留数４であるかどうかを判定する。普図の抽選結果の保留数が最大普図保留数４であれば、主回路１２０は、通過検知処理を終了する。すなわち、最大普図保留数４を越える普図の抽選結果は保留することなしに破棄される。普図の抽選結果の保留数が最大普図保留数４でなければ、主回路１２０は、ＲＡＭ１２３上の普図用保留記憶領域（図示せず）に普図の抽選結果を記憶して保留し、普図表示部１５の普図保留ＬＥＤｐ１，ｐ２を普図の抽選結果の保留数に応じて点灯あるいは点滅して、通過検知処理を終了する。
【００４０】
次に、普図保留読出処理では、主回路１２０は、ＲＡＭ１２３上の普図用保留記憶領域（図示せず）に普図の抽選結果の保留があるかどうかを判定し、ＲＡＭ１２３上の普図用保留記憶領域に普図の抽選結果の保留がなければ、普図保留読出処理を終了する。ＲＡＭ１２３上の普図用保留記憶領域に普図の抽選結果の保留があれば、主回路１２０は、普図表示部１５において先の普図の変動表示中であるかどうかを判定する。先の普図の変動表示中であれば、主回路１２０は、普図保留読出処理を終了する。先の普図の変動表示中でなければ、主回路１２０は、電チューである第１始動入賞装置１２が開放中であるかどうかを判定する。電チューである第１始動入賞装置１２が開放中であれば、主回路１２０は、普図保留読出処理を終了する。電チューである第１始動入賞装置１２が開放中でなければ、主回路１２０は、ＲＡＭ１２３上の普図用保留記憶領域に保留されている最古の普図の抽選結果を読み出し、普図表示部１５の普図保留ＬＥＤｐ１，ｐ２を普図の抽選結果の保留数に応じて点灯あるいは点滅して、普図変動処理を開始する。
【００４１】
普図変動処理では、主回路１２０は、普図保留読出処理で読み出した普図の抽選結果を所定の普図用判定値と照合して当たり／ハズレの判定を行う。なお、普図の当たり確率は、例えば１２７／１２８である。次に、主回路１２０は、時短中かそうでないかに応じて普図の変動時間を決定する。時短中であれば、例えば１秒、時短中でなければ、例えば３０秒と変動時間を決定する。続いて、主回路１２０は、普図表示部１５の普図変動ＬＥＤ１６で普図の変動を開始する。次に、主回路１２０は、判定結果がハズレであれば、普図表示部１５の普図変動ＬＥＤ１６を橙色で点灯し、普図変動処理を終了する。判定結果が当たりであれば、主回路１２０は、普図表示部１５の普図変動ＬＥＤ１６を緑色で点灯し、電チューソレノイド１１５を励磁することにより、電チューである第１始動入賞装置１２を開放する。普図当選時の第１始動入賞装置１２の開放時間は、通常時には、例えば０．５秒、時短時には、例えば１.８秒×３回である。次に、主回路１２０は、時短中であるかどうかを判定し、時短中であれば、１．８秒経過するのを待機した後、電チューソレノイド１１５を非励磁とすることにより、電チューである第１始動入賞装置１２を閉鎖し、この開閉動作をさらに２回繰り返した後、普図変動処理を終了する。一方、時短中でなければ、主回路１２０は、０．５秒が経過するのを待機した後、電チューである第１始動入賞装置１２を閉鎖し、普図変動処理を終了する。
【００４２】
可動羽根１２ａ，１２ａの開放中あるいは閉鎖中を問わず、第１始動入賞装置１２に玉が入賞すると、第１始動入賞検出器１１２が、これを検出して、入賞検出信号を主回路１２０に送信する。
【００４３】
主回路１２０は、第１始動入賞検出器１１２からの入賞検出信号により第１始動入賞装置１２での玉の通過を検知しており（図７のＳ１０１）、玉の通過が検知されない場合には（図７のＳ１０１：ＮＯ）、玉が通過するまで待機する。
【００４４】
第１始動入賞装置１２での玉の通過が検知されると（図７のＳ１０１：ＹＥＳ）、主回路１２０は、特図用乱数カウンタ（図示せず）より値を抽出して第１特図の内部抽選を行う（図７のＳ１０２）。
【００４５】
次に、主回路１２０は、ＲＡＭ１２３上の第１特図用保留記憶領域に保留されている第１特図の抽選結果の保留数が最大特図保留数４であるかどうかを判定する（図７のＳ１０３）。第１特図の抽選結果の保留数が最大特図保留数４であれば（図７のＳ１０３：ＹＥＳ）、主回路１２０は、払出制御基板１０７を介して払出装置１０８に所定数の賞球の払出を指示して（図７のＳ１１０）、第１始動入賞検知処理を終了する。すなわち、最大特図保留数４を越える第１特図の抽選結果は保留することなしに破棄される。
【００４６】
第１特図の抽選結果の保留数が最大特図保留数４でなければ（図７のＳ１０３：ＮＯ）、主回路１２０は、ＲＡＭ１２３上の第１特図用保留記憶領域に第１特図の抽選結果を記憶して保留する（図７のＳ１０４）。また、主回路１２０は、特図表示部１７の第１特図保留ＬＥＤｑ１，ｑ２を第１特図の抽選結果の保留数に応じて点灯あるいは点滅する。次に、主回路１２０は、払出制御基板１０７を介して払出装置１０８に所定数の賞球の払出を指示して、第１始動入賞検知処理を終了する。
【００４７】
次に、第１特図保留読出処理では、主回路１２０は、ＲＡＭ１２３上の第１特図用保留記憶領域に第１特図の抽選結果の保留があるかどうかを判定し（図８のＳ２０１）、ＲＡＭ１２３上の第１特図用保留記憶領域に第１特図の抽選結果の保留がなければ（図８のＳ２０１：ＮＯ）、第１特図保留読出処理を終了する。
【００４８】
ＲＡＭ１２３上の第１特図用保留記憶領域に第１特図の抽選結果の保留があれば（図８のＳ２０１：ＹＥＳ）、主回路１２０は、特図表示部１７の第１特図用数字表示器１８ａおよび液晶表示部１０において先の第１特図の変動表示中であるかどうかを判定する（図８のＳ２０２）。先の第１特図の変動表示中であれば（図８のＳ２０２：ＹＥＳ）、主回路１２０は、第１特図保留読出処理を終了する。
【００４９】
先の第１特図の変動表示中でなければ（図８のＳ２０２：ＮＯ）、主回路１２０は、大当たりフラグがＯＮであるかどうかに基づいて大当たり中であるかどうかを判定する（図８のＳ２０３）。大当たり中であれば（図８のＳ２０３：ＹＥＳ）、主回路１２０は、大当たりフラグがＯＦＦになるまで待機する。
【００５０】
大当たりフラグがＯＦＦになると（図８のＳ２０３：ＮＯ）、主回路１２０は、ＲＡＭ１２３上の第１特図用保留記憶領域から最古の第１特図の抽選結果を読み出し（図８のＳ２０４）、第１特図変動処理（図９参照）を開始する（図８のＳ２０５）。
【００５１】
第１特図変動処理では、主回路１２０は、第１特図保留読出処理で読み出された第１特図の抽選結果を、特図用判定値と照合して当たり／ハズレの判定を行う（図９のＳ３０１）。第１特図の大当たり確率は、例えば１／３５０である。
【００５２】
次に、主回路１２０は、当たり／ハズレの判定結果に基づいて第１特図の変動時間を決定する（図９のＳ３０２）。
【００５３】
続いて、主回路１２０は、判定結果および変動時間を表示制御基板１０１に通知する（図９のＳ３０３）。
【００５４】
次に、主回路１２０は、第１特図の変動を開始するとともに、第１特図変動タイマのカウントを開始する（図９のＳ３０４）。
【００５５】
続いて、主回路１２０は、第１特図変動タイマに基づいて変動時間が経過したかどうかを判定し（図９のＳ３０５）、変動時間が経過していなければ（図９のＳ３０５：ＮＯ）、大当たりフラグがＯＮであるかどうかを判定する（図９のＳ３０６）。大当たりフラグがＯＮでなければ（図９のＳ３０６：ＮＯ）、主回路１２０は、ステップＳ３０５に制御を戻す。大当たりフラグがＯＮであれば（図９のＳ３０６：ＹＥＳ）、主回路１２０は、特図表示部１７の第１特図用数字表示器１８ａをハズレ図柄で停止し（図９のＳ３０７）、大当たりフラグがＯＦＦであるかどうかを判定する（図９のＳ３０８）。大当たりフラグがＯＦＦでなければ（図９のＳ３０８：ＮＯ）、主回路１２０は、大当たりフラグがＯＦＦになるまで待機し、大当たりフラグがＯＦＦになると（図９のＳ３０８：ＹＥＳ）、ステップＳ３０４に制御を戻し、第１特図の変動を再開するとともに、第１特図変動タイマを０から再開する。
【００５６】
変動時間が経過していれば（図９のＳ３０５：ＹＥＳ）、主回路１２０は、特図表示部１７の第１特図用数字表示器１８ａでの第１特図の変動を停止する（図９のＳ３０７）。当たりのときは、特図表示部１７の第１特図用数字表示器１８ａに当たり図柄が表示され、ハズレのときは、特図表示部１７の第１特図用数字表示器１８ａにハズレ図柄が表示される。
【００５７】
次に、主回路１２０は、停止図柄が当たりであるかどうかを判定し（図９のＳ３１０）、停止図柄が当たりであれば（図９のＳ３１０：ＹＥＳ）、大当たりフラグをＯＮして（図９のＳ３１１）、第１特図変動処理を終了する。停止図柄が当たりでなければ（図９のＳ３０１０：ＮＯ）、主回路１２０は、ステップＳ３１１をスキップして、第１特図変動処理を終了する。
【００５８】
表示制御基板処理では、表示制御基板１０１は、第１特図の判定結果および変動時間を受信したかどうかを判定し（図１０のＳ４０１）、第１特図の判定結果および変動時間を受信していなければ（図１０のＳ４０１：ＮＯ）、大当たりフラグがＯＮであるかどうかを判定する（図１０のＳ４０２）。大当たりフラグがＯＮでなければ（図１０のＳ４０２：ＮＯ）、表示制御基板１０１は、液晶表示部１０に待機を表示し（図１０のＳ４０５）、ステップＳ４０１に制御を戻す。大当たりフラグがＯＮであれば（図１０のＳ４０２：ＹＥＳ）、大当たり表示処理を実行する（図１０のＳ４０３）。既述したように、大当たり表示処理では、大当たり処理（図１１参照）に合わせて液晶表示部１０にラウンド数の表示を行う。次に、主回路１２０は、大当たりフラグがＯＦＦであるかどうかを判定し（図１１のＳ４０４）、大当たりフラグがＯＦＦでなければ（図１１のＳ４０４：ＮＯ）、大当たりフラグがＯＦＦになるまで待機し、大当たりフラグがＯＦＦになると（図１１のＳ４０４：ＹＥＳ）、ステップＳ４０１に制御を戻す。
【００５９】
第１特図の判定結果および変動時間を受信していれば（図１０のＳ４０１：ＹＥＳ）、表示制御基板１０１は、演出パターンおよび停止図柄を決定し（図１１のＳ４０６）、液晶表示部１０の図柄変動を開始する（図１１のＳ４０７）。受信した判定結果が当たりの場合、液晶表示部１０での停止図柄として大当たり図柄が選択されるが、第１大当たり図柄は「１１１」，「３３３」，「５５５」，「７７７」のゾロ目、第２大当たり図柄は「２２２」，「４４４」，「６６６」のゾロ目である。
【００６０】
次に、表示制御基板１０１は、図柄変動が終了したかどうかを判定し（図１１のＳ４０８）、図柄変動が終了していなければ（図１１のＳ４０８：ＮＯ）、大当たりフラグがＯＮであるかどうかを判定する（図１０のＳ４０９）。大当たりフラグがＯＮでなければ（図１０のＳ４０９：ＮＯ）、表示制御基板１０１は、ステップＳ４０８に制御を戻す。大当たりフラグがＯＮであれば（図１０のＳ４０９：ＹＥＳ）、表示制御基板１０１は、大当たり表示処理を実行し（図１０のＳ４１０）、大当たりフラグがＯＦＦであるかどうかを判定する（図１１のＳ４１１）。大当たりフラグがＯＦＦでなければ（図１１のＳ４１１：ＮＯ）、主回路１２０は、大当たりフラグがＯＦＦになるまで待機し、大当たりフラグがＯＦＦになると（図１１のＳ４１１：ＹＥＳ）、ステップＳ４０７に制御を戻す。
【００６１】
図柄変動が終了すると（図１１のＳ４０８：ＹＥＳ）、表示制御基板１０１は、表示制御基板処理を終了する。
【００６２】
続いて、大当たり処理では、主回路１２０は、大当たりフラグがＯＮであるかどうかを判定し（図１１のＳ５０１）、大当たりフラグがＯＮでなければ（図１１のＳ５０１：ＮＯ）、大当たり処理を終了する。
【００６３】
大当たりフラグがＯＮであれば（図１１のＳ５０１：ＹＥＳ）、主回路１２０は、１回の大当たりで大入賞装置１３を最大ラウンド数１５まで開放させるために、ラウンド数が最大ラウンド数１５でないかどうかを判定する（図１１のＳ５０２）。
【００６４】
ラウンド数が最大ラウンド数１５でなければ（図１１のＳ５０２：ＹＥＳ）、主回路１２０は、ラウンド数に１を加算し（図１１のＳ５０３）、大入賞ソレノイド１１５を励磁することにより、大入賞装置１３を開放する（図１１のＳ５０６）。これにより、大入賞装置１３への玉の入賞が可能になる。
【００６５】
大入賞装置１３へ１ラウンドの入賞可能玉数１０の玉が入賞するか（図１１のＳ５０５：ＹＥＳ）、大入賞装置１３が開放してから１ラウンドの最大開放時間２５秒が経過するか（図１１のＳ５０６：ＹＥＳ）のいずれかが満たされると、主回路１２０は、大入賞ソレノイド１１５を非励磁とすることにより、大入賞装置１３を閉鎖し（図１１のＳ５０７）、大当たり処理を終了する。これにより、大入賞装置１３への玉の入賞ができなくなる。
【００６６】
この後、大当たりフラグがまだＯＮであるため（図１１のＳ５０１：ＹＥＳ）、主回路１２０は、大入賞装置１３の開閉（Ｓ５０１〜Ｓ５０７）を繰り返す。
【００６７】
そして、ラウンド数が最大ラウンド数１５になると（図１１のＳ５０２：ＮＯ）、主回路１２０は、ラウンド数を初期値０にリセットして（図１１のＳ５０８）、大当たりフラグをＯＦＦにし（図１１のＳ５０９）、大当たり処理を終了する。
【００６８】
大当たり処理の終了後、第１大当たり図柄の大当たりであったときは、次の大当たりまで時短状態（普図の変動時間が短くなり、電チューである第１始動入賞装置１２の開放時間が長くなる状態）となり、この時短状態は次の大当たりに当選するまで継続する。また、第２大当たり図柄の大当たりであったときは、時短状態になり、第１特図および第２特図の変動動作が１００回行われるか、次の大当たりに当選するまで継続する。
【００６９】
一方、玉発射通路２３から遊技盤３に放出された玉の一部は、釘１９によって弾かれながら、壁２１および右ガイドレール２４によって形成された右側玉通路２５に入り込むことになる。右側玉通路２５に入り込んだ玉は、右側玉通路２５に沿って玉排出口１４の前方位置に放出される。このとき、右側玉通路２５から放出された玉は、遊技盤３を流下して第１始動入賞装置１２および第２始動入賞装置２０の何れの入賞口にも入賞しなかつた玉と玉排出口１４の前で衝突可能であり、衝突した玉は、右側玉通路２５から玉排出口１４の前を通って左側玉通路２７に進入する軌道を外れ、やがては慣性力を失い、終了玉として玉排出口１４から排出されることになる。すなわち、右側玉通路２５経由で玉排出口１４の前まで導かれた玉が他の玉に衝突すると、玉の速度は殺され、そのまま玉排出口１４から排出される。他方、衝突しなかった玉は、右側玉通路２５から玉排出口１４の前を通って左側玉通路２７内に進入し、右側玉通路２５内を流下する際に付与された重力による慣性力によって左側玉通路２７内を駆け上がり、左側玉通路２７の上端出口から再び遊技盤３上に放出される。遊技盤３上に再放出された玉は、釘１９等に弾かれながら遊技盤３上を流下し、その一部は第２始動入賞装置２０に入賞することになる。このため、遊技者が遊技盤３に玉を打ち込むと、通常は遊技盤３の右領域を玉が流下し、通過ゲート１１を通過したり、第１始動入賞装置１２などへ入賞したりするが、遊技盤３の内縁に沿って右側玉通路２５，左側玉通路２７が設けられているため、遊技盤３へ打ち込まれた玉が右側玉通路２５の入口に入ると、右側玉通路２５に沿って玉排出口１４の前まで転がり、他の玉に衝突することなく通過すると、遊技盤３の左側玉通路２７の出口より飛び出し、この出口から飛び出した玉は、第２始動入賞装置２０へ入賞する可能性がある。
【００７０】
第２始動入賞装置２０に玉が入賞すると、第２始動入賞検出器１１３が、これを検出して、入賞検出信号を主回路１２０に送信する。
【００７１】
主回路１２０は、第２始動入賞検出器１１３からの入賞検出信号により第２始動入賞装置２０での玉の通過を検知しており（図１２のＳ６０１）、玉の通過が検知されない場合には（図１２のＳ６０１：ＮＯ）、玉が通過するまで待機する。
【００７２】
第２始動入賞装置２０での玉の通過が検知されると（図１２のＳ６０１：ＹＥＳ）、主回路１２０は、特図用乱数カウンタ（図示せず）より値を抽出して第２特図の内部抽選を行う（図１２のＳ６０２）。
【００７３】
次に、主回路１２０は、ＲＡＭ１２３上の第２特図用保留記憶領域に保留されている第２特図の抽選結果の保留数が最大特図保留数４であるかどうかを判定する（図１２のＳ６０３）。第２特図の抽選結果の保留数が最大特図保留数４であれば（図１２のＳ６０３：ＹＥＳ）、主回路１２０は、払出制御基板１０７を介して払出装置１０８に所定数の賞球の払出を指示して（図１２のＳ６１０）、第１始動入賞検知処理を終了する。すなわち、最大特図保留数４を越える第２特図の抽選結果は保留することなしに破棄される。
【００７４】
第２特図の抽選結果の保留数が最大特図保留数４でなければ（図１２のＳ６０３：ＮＯ）、主回路１２０は、ＲＡＭ１２３上の第２特図用保留記憶領域に第２特図の抽選結果を記憶して保留する（図１２のＳ６０４）。また、主回路１２０は、特図表示部１７の第２特図保留ＬＥＤｑ３，ｑ４を第２特図の抽選結果の保留数に応じて点灯あるいは点滅する。次に、主回路１２０は、払出制御基板１０７を介して払出装置１０８に所定数の賞球の払出を指示して（図１２のＳ６０５）、第２始動入賞検知処理を終了する。
【００７５】
次に、第２特図保留読出処理では、主回路１２０は、ＲＡＭ１２３上の第２特図用保留記憶領域に第２特図の抽選結果の保留があるかどうかを判定し（図１３のＳ７０１）、ＲＡＭ１２３上の第２特図用保留記憶領域に第２特図の抽選結果の保留がなければ（図１３のＳ７０１：ＮＯ）、第２特図保留読出処理を終了する。
【００７６】
ＲＡＭ１２３上の第２特図用保留記憶領域に第２特図の抽選結果の保留があれば（図１３のＳ７０１：ＹＥＳ）、主回路１２０は、特図表示部１７の第２特図数字表示器１８ｂにおいて先の第２特図の変動表示中であるかどうかを判定する（図１３のＳ７０２）。先の第２特図の変動表示中であれば（図１３のＳ７０２：ＹＥＳ）、主回路１２０は、第２特図保留読出処理を終了する。
【００７７】
先の第２特図の変動表示中でなければ（図１３のＳ７０２：ＮＯ）、主回路１２０は、大当たりフラグがＯＮであるかどうかに基づいて大当たり中であるかどうかを判定する（図１３のＳ７０３）。大当たり中であれば（図１３のＳ７０３：ＹＥＳ）、主回路１２０は、大当たりフラグがＯＦＦになるまで待機する。
【００７８】
大当たりフラグがＯＦＦになると（図１３のＳ７０３：ＮＯ）、主回路１２０は、ＲＡＭ１２３上の第２特図用保留記憶領域から最古の第２特図の抽選結果を読み出し（図１３のＳ７０４）、第２特図変動処理（図１４参照）を開始する（図１３のＳ７０５）。
【００７９】
第２特図変動処理では、主回路１２０は、第２特図保留読出処理で読み出された第２特図の抽選結果を、所定の特図用判定値と照合して当たり／ハズレの判定を行う（図１４のＳ８０１）。第２特図の大当たり確率は、例えば１／３５である。
【００８０】
次に、主回路１２０は、当たり／ハズレの判定結果に基づいて第２特図の変動時間を決定する（図１４のＳ８０２）。
【００８１】
続いて、主回路１２０は、特図表示部１７の第２特図数字表示器１８ｂにおける第２特図の図柄変動，ならびに第２特図変動タイマ（図示せず）のカウントを開始する（図１４のＳ８０３）。
【００８２】
続いて、主回路１２０は、第２特図変動タイマに基づいて変動時間が経過したかどうかを判定し（図１４のＳ８０４）、変動時間が経過していなければ（図１４のＳ８０４：ＮＯ）、大当たりフラグがＯＮであるかどうかを判定する（図１４のＳ８０５）。大当たりフラグがＯＮでなければ（図１４のＳ３０５：ＮＯ）、主回路１２０は、ステップＳ８０４に制御を戻す。大当たりフラグがＯＮであれば（図１４のＳ８０５：ＹＥＳ）、主回路１２０は、特図表示部１７の第２特図数字表示器１８ｂをハズレ図柄で停止し（図１４のＳ８０６）、大当たりフラグがＯＦＦであるかどうかを判定する（図１４のＳ８０７）。大当たりフラグがＯＦＦでなければ（図１４のＳ８０７：ＮＯ）、主回路１２０は、大当たりフラグがＯＦＦになるまで待機し、大当たりフラグがＯＦＦになると（図１４のＳ８０７：ＹＥＳ）、ステップＳ８０３に制御を戻し、第２特図の変動を再開するとともに、第２特図変動タイマを０から再開する。
【００８３】
変動時間が経過していれば（図１４のＳ８０４：ＹＥＳ）、主回路１２０は、特図表示部１７の第２特図数字表示器１８ｂの第２特図の変動を停止する（図１４のＳ８０８）。当たりのときは、特図表示部１７に当たり図柄が表示され、ハズレのときは、特図表示部１７の第２特図数字表示器１８ｂにハズレ図柄が表示される。抽選結果が大当たりのときは、主回路１２０は、特図表示部１７の第２特図用数字表示器１８ｂに当たり図柄を表示し、液晶表示部１０では第１特図の図柄変動を中止していきなり「大当たり」の表示を行って大当たり状態となる。
【００８４】
次に、主回路１２０は、停止図柄が当たりであるかどうかを判定し（図１４のＳ８０８）、停止図柄が当たりであれば（図１４のＳ８０８：ＹＥＳ）、大当たりフラグをＯＮして（図１４のＳ８０９）、第２特図変動処理を終了する。また、特図表示部１７の第２特図用数字表示器１８ｂに当たり図柄が表示されたときは、第１特図変動タイマを停止し、大当たり処理（図１１参照）が終了してから第１特図変動タイマを０から再開する。すなわち、第２特図で当選したときは、大当たりしたことを液晶表示部１０に表示する。この際、液晶表示部１０に表示されていた第１特図に基づく図柄（変動中を含む）を消して、「大当たり」の表示を行う。中断した第１特図の図柄変動は、大当たり状態が終了してから再開する。このとき、第１特図変動タイマはリセットしておき、最初から再開する。停止図柄が当たりでなければ（図１４のＳ８０８：ＮＯ）、主回路１２０は、ステップＳ８１０をスキップして、第２特図変動処理を終了する。
【００８５】
実施例１によれば、通常の発射装置１１０以外の発射装置を別途設けることなく、重力を使って玉を宙返りさせるので、遊技盤３全体を使って大きな玉の動きを実現することができる。
【００８６】
また、実施例１によれば、右側玉通路２５に進入した玉と、遊技盤３上を流下して何れの第１始動入賞装置１２および第２始動入賞装置２０のいずれの入賞口にも入賞しなかつた玉とが、玉排出口１４の前で衝突可能であるようにしたので、遊技者には、右側玉通路２５を通過しないで遊技盤３上を流下してきた玉と、右側玉通路３を使って玉排出口１４の前方を通過する玉とが衝突しないように、タイミングを測りながら遊技するという遊技性が生じ、遊技者の興趣をより高めることが可能になる。
【００８７】
さらに、実施例１によれば、右側玉通路２５，左側玉通路２７を上手く通過しないと入賞することができない第２始動入賞装置２０を設けることにより、遊技者の興趣をより一層高めることが可能になる。
【００８８】
ところで、上記実施例１に係るパチンコ遊技機１に関しては、以下のような変形例を考えることができる。
【００８９】
実施例１では、遊技盤３へ打ち込まれた玉が遊技盤３の左領域へは直接行けないように釘１９を植設したが、遊技盤３へ放出される玉の勢いにより遊技盤３の左右何れの領域へも流下可能であるようにしてもよい。ただし、実施例１のように、遊技盤３の左右の領域に違いを付け、玉の流れを制限した方が遊技者の興趣を高めることができる。
【００９０】
また、実施例１では、第１始動入賞装置１２と第２始動入賞装置２０とで異なる抽選処理を行うようにしたが、同じ抽選処理を行うようにしてもよい。そうすると、保留や特図の表示などが１組ですむので、パチンコ遊技機１の構成は実施例１よりも単純にすることができる。ただし、実施例１のように、２つの始動入賞装置に違いがあった方が、遊技者の興趣は高められる。
【００９１】
さらに、実施例１では、特図の抽選で当選したとき、その大当たり終了後、特図の大当たり確率を通常よりも高くした確変状態になるようにしてもよい。このようにすることにより、遊技性を広げることができる。
【００９２】
さらにまた、実施例１では、大当たり終了後に必ず時短状態となるようにしたが、時短状態になるか否か、時短状態をどれだけ継続するか等については適宜決定することができる。
【００９３】
以上、本発明の実施例を説明したが、これはあくまでも例示にすぎず、本発明はこれに限定されるものではなく、特許請求の範囲の趣旨を逸脱しない限りにおいて、当業者の知識に基づく種々の変更が可能である。
【図面の簡単な説明】
【００９４】
【図１】本発明の実施例１に係るパチンコ遊技機の正面模式図。
【図２】図１中の遊技盤を示す正面模式図。
【図３】図２中の液晶表示部を拡大して示す図。
【図４】図１中の普図表示部を拡大して示す図。
【図５】図１中の特図表示部を拡大して示す図。
【図６】本実施例１に係るパチンコ遊技機の回路ブロック図。
【図７】本実施例１に係るパチンコ遊技機における第１始動入賞検知処理を示すフローチャート。
【図８】本実施例１に係るパチンコ遊技機における第１特図保留読出処理を示すフローチャート。
【図９】本実施例１に係るパチンコ遊技機における第１特図変動処理を示すフローチャート。
【図１０】本実施例１に係るパチンコ遊技機における表示制御基板処理を示すフローチャート。
【図１１】本実施例１に係るパチンコ遊技機における大当たり処理を示すフローチャート。
【図１２】本実施例１に係るパチンコ遊技機における第２始動入賞検知処理を示すフローチャート。
【図１３】本実施例１に係るパチンコ遊技機における第２特図保留読出処理を示すフローチャート。
【図１４】本実施例１に係るパチンコ遊技機における第２特図変動処理を示すフローチャート。
【符号の説明】
【００９５】
１  パチンコ遊技機
２  前面扉
３  遊技盤
５  玉供給皿
６  ハンドル
１０  液晶表示部
１１  通過ゲート
１２  第１始動入賞装置
１３  大入賞装置
１５  普図表示部
１６  普図変動ＬＥＤ
１７  特図表示部
１８ａ  第１特図用数字表示器
１８ｂ  第２特図用数字表示器
１９  釘
２０  第２始動入賞装置
２１  壁
２２  発射玉ガイドレール
２４  右ガイドレール（ガイド部材）
２５  右側玉通路
２６  左ガイドレール（ガイド部材）
２７  左側玉通路
１００  主制御基板
１０１  表示制御基板
１０７  払出制御基板
１０８  払出装置
１０９  発射制御基板
１１０  発射装置
１１１  ゲート通過検出器
１１２  第１始動入賞検出器
１１３  第２始動入賞検出器
１１４  大入賞検出器
１１５  電チューソレノイド
１１６  大入賞ソレノイド
ｐ１，ｐ２  普図保留ＬＥＤ
ｑ１，ｑ２  第１特図保留ＬＥＤ
ｑ３，ｑ４  第２特図保留ＬＥＤ
【図１】
2007181572.tif 000005
【図２】
2007181572.tif 000006
【図３】
2007181572.tif 000007
【図４】
2007181572.tif 000008
【図５】
2007181572.tif 000009
【図６】
2007181572.tif 000010
【図７】
2007181572.tif 000011
【図８】
2007181572.tif 000012
【図９】
2007181572.tif 000013
【図１０】
2007181572.tif 000014
【図１１】
2007181572.tif 000015
【図１２】
2007181572.tif 000016
【図１３】
2007181572.tif 000017
【図１４】
2007181572.tif 000018